(57)【要約】  枢動可能に結合された第1(301)、第2(302)および第3(303)のドア部材であって、該各ドア部材が航空機表板において実質的に直線的な配置で位置決めされるという閉じ位置から、第2および第3ドア部材が実質的に第1ドア部材の最低縁部の上方に位置されて相対的に折畳まれた配置で位置決めされるという開き位置まで移動すべく配置された第1、第2および第3ドア部材を備える、航空機用ドアが開示される。【選択図】図３
2010505690.tif 000002
【特許請求の範囲】
【請求項１】
航空機におけるドア開口を開閉するドアであって、
航空機構造に対して第1取付け点にて枢動可能に係合された第1ドア部材と、
前記第1ドア部材に対して枢動可能に係合された第2ドア部材と、
前記第2ドア部材に対して枢動可能に係合された第3ドア部材と、
前記第1および第3ドア部材に対して枢動可能に係合された第1連結部材と、
前記第2ドア部材および前記航空機構造に対して第2取付け点にて枢動可能に係合された第2連結部材とを備え、
前記各ドア部材および前記各連結部材は、閉じ位置にあるときに単一のドアを形成すべく配置され、且つ、前記各ドア部材および前記各連結部材は、前記第1取付け点を中心とした回転の形態での前記第1ドア部材の開き動作が、前記第2および第3ドア部材の夫々の開き位置に向かう該第2および第3ドア部材の実質的に同時的な動作に帰着する如く相互接続される、ドア。
【請求項２】
前記ドア部材の各々は、外側面と、反対側の内側面とを備え、
前記外側面は、当該ドアの前記閉じ位置において、前記航空機の表板と実質的に形状適合すべく配置され、且つ、
前記各ドア部材の前記開き位置への動作は、前記第2ドア部材の外側面に向かう前記第1ドア部材の外側面の相対的枢動、および、前記第3ドア部材の内側面に向かう前記第2ドア部材の内側面の相対的枢動に帰着する、請求項１に記載のドア。
【請求項３】
前記第2ドア部材は、前記第1ドア部材の縁部の近傍の開孔に形状適合すべく、且つ、当該ドアが前記閉じ位置にあるときに実質的に前記開孔内に着座すべく形成される、請求項１または請求項２に記載のドア。
【請求項４】
前記第1連結部材は、ブリッジ部材を介して前記第1ドア部材に対して枢動可能に係合され、前記ブリッジ部材は、前記開き動作の間において前記第1連結部材が前記開孔内を移動しうる様に前記開孔に張りわたる、請求項３に記載のドア。
【請求項５】
前記第2ドア部材は、前記開き動作の間において該第2ドア部材が前記開孔から完全に外方移動しうるべく、前記第1ドア部材に対して枢動可能に係合される、請求項１から請求項４のいずれか一つの請求項に記載のドア。
【請求項６】
前記各連結部材および前記各ドア部材は、実質的に平行である一群の軸心の回りに枢動可能に係合される、請求項１から請求項５のいずれか一つの請求項に記載のドア。
【請求項７】
前記各ドア部材および前記第1連結部材は、前記第1取付け点にて結合された４バーリンク機構であって、前記第2連結部材により作動されるという４バーリンク機構を構成する、請求項１から請求項６のいずれか一つの請求項に記載のドア。
【請求項８】
前記各連結部材の機能は、複数の斯かる連結部材により提供される、請求項１から請求項７のいずれか一つの請求項に記載のドア。
【請求項９】
前記各ドア部材は、一つ以上のヒンジ機構を介して枢動可能に係合される、請求項１から請求項８のいずれか一つの請求項に記載のドア。
【請求項１０】
前記第1取付け点は、当該ドアがその開き位置にあるときに前記第1ドア部材の少なくとも一部分が前記航空機の本体内に位置する如く配置される、請求項１から請求項９のいずれか一つの請求項に記載のドア。
【請求項１１】
前記開き動作の間において、前記第2および第3ドア部材の枢動動作の割合は前記第1ドア部材の枢動動作の割合の２倍である、請求項１から請求項１０のいずれか一つの請求項に記載のドア。
【請求項１２】
前記第1取付け点からの前記第2取付け点の径方向オフセットは、前記第2および第3ドア部材の動作の振幅を決定する、請求項１から請求項１１のいずれか一つの請求項に記載のドア。
【請求項１３】
前記第1取付け点を中心として描かれた円弧上における前記第2取付け点の円周方向位置は、前記第1および第2ドア部材の相対的動作を決定する、請求項１からの請求項１２のいずれか一つの請求項に記載のドア。
【請求項１４】
前記第2連結部材の機能的軸心は、当該ドアが閉じられたときには前記第1および第2取付け点を包含する平面に対して実質的に直交し、且つ、当該ドアが開かれたときには、前記平面に対して実質的に平行である、請求項１から請求項１３のいずれか一つの請求項に記載のドア。
【請求項１５】
航空機におけるドア開口を開閉するドアであって、
該ドアは、枢動可能に結合された第1、第2および第3ドア部材であって、該各ドア部材が航空機表板において実質的に直線的な配置で位置決めされるという閉じ位置から、前記第2および第3ドア部材が実質的に前記第1ドア部材の最低縁部の上方に位置されて相対的に折畳まれた配置で位置決めされるという開き位置まで移動すべく配置された第1、第2および第3ドア部材を備える、ドア。
【発明の詳細な説明】
【技術分野】
【０００１】
本発明は、航空機におけるドア開口を開閉するドアに関する。
【背景技術】
【０００２】
航空機構造は一般的に、乗客用ドア、貨物倉用ドア、保守用ドア(すなわちハッチ)および着陸装置用ドアの如き、多数のドアを備えている。斯かるドアは、周囲の航空機構造に形状適合すべく開閉されるときに航空機の内側部分に対するアクセスを提供する。多くの斯かるドアの重要な特性は、それらの開き手順の間において且つそれらの開き位置において、それらが航空機構造の他の部分に対して衝当、係合もしくは別様に不都合に接触しないということである。更に、航空機が地上にあるときに各ドアは、地面、または、導板もしくは構台の如き他の付随的な構造に衝当すべきでない。たとえば、航空機の全ての動作条件下において着陸装置用ドアは、地面、着陸装置、および、対称的に反対側である一切の着陸装置用ドアに対して間隙を提供せねばならない。
【発明の概要】
【発明が解決しようとする課題】
【０００３】
ドアが大寸であり、且つ、他の航空機構造もしくは他の外部構造を回避するために利用可能な距離が比較的に小さいときには、問題が生ずる。たとえば、ドアが着陸装置用ドアであるなら、地面に対する間隙は小寸であり得ると共に、該ドアは地面との接触により損傷し易いこともある。一つの解決策は、折畳まれることで必要な間隙を提供する二部材式ドアを配備することである。しかし、着陸装置に対して配備されたときに斯かるドアは、一般的には着陸装置に向けて内方に折畳まれ、且つ、該ドアは、着陸装置と該ドアとの間の干渉なしで着陸装置の延伸が達成されることを確実とすべく付加的なデバイスを必要とし得る。更に、折畳みドアに対する折畳み手順および機構は複雑となり得る。
【課題を解決するための手段】
【０００４】
本発明の一実施形態は、
航空機におけるドア開口を開閉するドアであって、
航空機構造に対して第1取付け点にて枢動可能に係合された第1ドア部材と、
上記第1ドア部材に対して枢動可能に係合された第2ドア部材と、
上記第2ドア部材に対して枢動可能に係合された第3ドア部材と、
上記第1および第3ドア部材に対して枢動可能に係合された第1連結部材と、
上記第2ドア部材および上記航空機構造に対して第2取付け点にて枢動可能に係合された第2連結部材とを備え、
上記各ドア部材および各連結部材は、閉じ位置にあるときに単一のドアを形成すべく配置され、且つ、上記各ドア部材および各連結部材は、上記第1取付け点を中心とした回転の形態での上記第1ドア部材の開き動作が、上記第2および第3ドア部材の夫々の開き位置に向かう該第2および第3ドア部材の実質的に同時的な動作に帰着する如く相互接続される、ドアを提供する。
【０００５】
ドア部材の各々は、外側面と、反対側の内側面とを備えることができ、上記外側面は、当該ドアの上記閉じ位置において、上記航空機の表板と実質的に形状適合すべく配置され、且つ、上記各ドア部材の上記開き位置への上記動作は、上記第2ドア部材の上記外側面に向かう上記第1ドア部材の上記外側面の相対的枢動、および、上記第3ドア部材の上記内側面に向かう上記第2ドア部材の上記内側面の相対的枢動に帰着する。上記第2ドア部材は、上記第1ドア部材の縁部の近傍の開孔に形状適合すべく、且つ、当該ドアが上記閉じ位置にあるときに実質的に上記開孔内に着座すべく形成され得る。上記第1連結部材はブリッジ部材を介して上記第1ドア部材に対して枢動可能に係合され、上記ブリッジ部材は、上記開き動作の間において上記第1連結部材が上記開孔内を移動し得る様に上記開孔に張りわたる。上記各連結部材および上記各ドア部材は、実質的に平行である一群の軸心の回りに枢動可能に係合される。
【０００６】
上記各ドア部材および上記第1連結部材は、上記第1取付け点にて結合された４バーリンク機構であって、上記第2連結部材により作動されるという４バーリンク機構を構成しうる。各連結部材の機能は、複数の斯かる連結部材により提供されうる。上記各ドア部材は、一つ以上のヒンジ機構を介して枢動可能に係合されうる。上記第1取付け点は、当該ドアがその開き位置にあるときに上記第1ドア部材の少なくとも一部分が上記航空機の本体内に位置する如く配置されうる。上記開き動作の間において、上記第2および第3ドア部材の枢動動作の割合は上記第1ドア部材の枢動動作の割合の２倍でありうる。上記第1取付け点からの上記第2取付け点の径方向オフセットは、上記第2および第3ドア部材の動作の振幅を決定する。上記第1取付け点を中心として描かれた円弧上における上記第2取付け点の円周方向位置は、上記第1および第2ドア部材の相対的動作を決定しうる。上記第2連結部材の機能的軸心は、当該ドアが閉じられたときには上記第1および第2取付け点を包含する平面に対して実質的に直交し、且つ、当該ドアが開かれたときには、上記平面に対して実質的に平行でありうる。
【０００７】
別の実施形態では、
航空機におけるドア開口を開閉するドアであって、
該ドアは、枢動可能に結合された第1、第2および第3ドア部材であって、該各ドア部材が航空機表板において実質的に直線的な配置で位置決めされるという閉じ位置から、上記第2および第3ドア部材が実質的に上記第1ドア部材の最低縁部の上方に位置されて相対的に折畳まれた配置で位置決めされるという開き位置まで移動すべく配置された第1、第2および第3ドア部材を備える、ドアを提供する。
【０００８】
次に、添付図面を参照して本発明の実施形態が例示的にのみ記述される。
【図面の簡単な説明】
【０００９】
【図１】地上における航空機の側面図である。
【図２】閉じ位置における図１の航空機の着陸装置用ドアを示す図である。
【図３】図２の着陸装置用ドアの詳細図である。
【図４】図２の着陸装置用ドアの動作を示す更なる詳細図である。
【図５】図２の着陸装置用ドアの動作を示す更なる詳細図である。
【図６】図２の着陸装置用ドアの動作を示す更なる詳細図である。
【発明を実施するための形態】
【００１０】
図１を参照すると、地面102上に位置して示された航空機101は、胴体103と、一群の翼部104とを備える。各翼部104は、腹部フェアリング105を介して胴体103内へと円滑移行される。航空機102は、主要着陸装置106および前輪107を介して地面102上に支持される。飛行の間に主要着陸装置106は、一群の着陸装置用ドア108により覆われて、航空機102の各翼部104および胴体103内に格納される。
【００１１】
図２を参照すると、主要着陸装置106は、翼部104の内部構造に対して結合して枢動されるストラット201を備える。ストラット201は一群の車輪202を支持し、且つ、該ストラットは、図１に示された展開位置と点線により図２に示された格納位置との間で着陸装置106を枢動させ得るべく枢着される。着陸装置106は、腹部フェアリング105において胴体103の中央領域から翼部104内へと張りわたる様に延在する隔室203内に格納される。腹部フェアリング105内における隔室203の領域は、３つのドア部材を有する主要着陸装置用ドア108により閉じられる。翼部104内における隔室203の領域は、本実施形態においては単一のドア部材を有する翼部用ドア204により閉じられる。着陸装置用ドア108は、該着陸装置用ドア108と、地面、上記着陸装置、および、対称的に反対側である(不図示の)ドアとの間に、全ての動作条件において十分な間隙を提供すべく配置される。
【００１２】
図３は、着陸装置用ドア108を更に詳細に示している。図３において、各要素が、一群の機能的同一要素の内の一つである場合、明瞭化のために一群の要素の内の一つの要素のみに対して参照番号が付される。主要着陸装置用ドア108はパネル301、302、303の形態の３つのドア部材を有し、これらは協働して、腹部フェアリング105の外側表板における開口の形状に対する相補的形状を形成する。第2ドア部材302は第1ドア部材301における開孔内に着座し、且つ、第3ドア部材303は第2ドア部材302に対して付属される。第1ドア部材もしくはパネル301は、着陸装置用隔室203の内側にて航空機101の内部構造305に対して各々の端部にて固定された一群の３つの剛性アーム304により支持される。剛性アーム304の他端は、第1ドア部材301に対し、第1群の枢着ピン306により枢動可能に固定される。第1ドア部材301と航空機構造305との間には、ジャッキ307の形態のドア・アクチュエータが接続される。ジャッキ307は、第2枢着ピン308により航空機構造305に対し、且つ、２つのストラット310を介して第3枢着ピン309により第1ドア部材301に対し、枢動可能に接続される。
【００１３】
第2ドア部材302は、該第2ドア部材302に対して固定された第2群の剛性アーム311を介して第1ドア部材301により支持され、且つ、該第2ドア部材は、第4群の枢着ピン312の回りで第1ドア部材301に対して枢動し得る。第2ドア部材302の開き動作において該第2ドア部材が、第1ドア部材301における開孔であってドア108が閉じ位置にあるときに該第2ドア部材が着座するという開孔から完全に外方移動し得る様に、第2群の剛性アーム311はスワン・ネックとして形成される。
【００１４】
第3ドア部材303は、第3群の剛性アーム313を介して第2ドア部材302により支持され、且つ、該第3ドア部材は、第5群の枢着ピン314の回りで第2ドア部材302に対して枢動し得る。第3ドア部材303は、第1群の接続リンク315により第1ドア部材301に対しても接続される。接続リンク315は、第6群の枢着ピン316の回りで第3ドア部材303に対して枢動すべく配置され、且つ、第7群の枢着ピン317の回りで第1ドア部材301に対して枢動すべく配置される。第7群の枢着ピン317はブリッジの形態の剛性構造318上に取付けられ、該剛性構造は、第2ドア部材302が着座する第1ドア部材301における開孔を横断して固定される。上記ブリッジによれば第1群の接続リンク315は、ドア108の開き動作の間において第2ドア部材302により明け渡された第1ドア部材301における上記開孔内を移動し得る。
【００１５】
第2ドア部材302に対しては第2群の接続リンク319が接続され、且つ、該接続リンクは第8群の枢着ピン320の回りで上記第2ドア部材に対して枢動すべく配置される。第2群の接続リンク319はまた、第9群の枢着ピン321により航空機構造304に対しても枢動可能に接続される。各群の枢着ピン306、308、309、312、314、316、317、320および321の軸心は、航空機101の長手軸心に対してほぼ平行に配置される。上記各パネルおよび接続リンクの比率、および、各枢着ピンの相対位置に依れば、上記各パネルは、地面102に対して必要な間隙を達成する如き様式で折畳まれる。
【００１６】
図４は、その閉じ位置にある主要着陸装置用ドア108の前面図を示しており、上記第2ドア部材は上記第1ドア部材における該第2ドア部材の開孔内に着座し、且つ、上記３つのドア部材は協働して航空機101の外部表板に形状適合して、着陸装置用隔室203を閉じる。ドア108は、その閉じ位置へと、第1ドア部材301を機内へと引き戻すジャッキ307の動作によりもたらされる。第1ドア部材301のこの機内への移動は、第1および第2群の接続リンク315、319を介して作用することで、上記第2および第3ドア部材をそれらの閉じ位置へと整列させる。第1、第2および第3のドア部材301、302、303および第1群の接続リンク315は協働して、４バーリンク機構を形成する。この４バーリンク機構は、第1ドア部材301の枢着ピン306から離間された箇所にて航空機構造305に対して基部結合された第2群の接続リンク319であって基礎リンク機構として作用するという接続リンク319により作動される。斯かる４バーリンク機構システムによれば、第2群の接続リンク319の作動動作であってジャッキ307により生成されるという作動動作は、該４バーリンク機構における各要素に対して実質的に同時に伝達されてドア108が開閉され得る。
【００１７】
図５は、図４に示された当該ドアの閉じ位置と、該ドアの全開位置との間の中間の位置におけるドア108を示している。閉じ位置において、各ドア部材301、302、303の外側面は、上記航空機の表板に対して実質的に形状適合する。開き位置に向かうドア部材301、302、303の動作は、第1ドア部材301の外側面に向かう第2ドア部材302の外側面の相対的枢動、および、第3ドア部材303の内側面に向かう第2ドア部材302の内側面の相対的枢動に帰着する。
【００１８】
図６は、第2および第3のドア部材302、303が実質的に第1ドア部材301の最低縁部の上方に位置されるという全開位置にあるドア108を示している。第2群の接続リンク319は第2ドア部材302を第1ドア部材301における上記開孔から完全に押し出し、上記第1および第2のドア部材の外側面を、それらの略々最接近した相対位置へと移動させている。第3ドア部材303は第2ドア部材302により回転されることで、それらの夫々の内側面を、それらの略々最接近した相対位置へともたらしている。第1群の接続リンク315は今や、第2ドア部材302により明け渡された第1ドア部材301における上記開孔内に着座している。
【００１９】
第1ドア部材301のヒンジを形成する第1群の枢着ピン306、および、第2群の接続リンク319に対する取付け点を形成する第9群の枢着ピン321の相対位置は、第2および第3のドア部材302、303の動作を決定する。これらの群の枢着ピン306、321は両者とも、航空機構造305に対する取付具である。第9群の枢着ピン321からの第1群の枢着ピン306の径方向オフセットは、第2および第3のドア部材302、303に対して付与される動作に対する振幅を決定する。第1群の枢着ピン306を中心として描かれた円弧上における第9群の枢着ピン321の円周方向位置は、第2および第3のドア部材302、303の相対的動作を決定する。上記実施形態において、第2群の接続リンク319の機能的軸心は、ドア108が閉じられたとき(図４参照)には第1群の枢着ピン306と第9群の枢着ピン321とを包含する平面に対してほぼ直交し、且つ、該ドアが開かれたとき(図６参照)には、その平面に対してほぼ平行である。この配置構成によれば、上記第1ドア部材が開き始めるときにおける上記第2および第3のドア部材の比較的に迅速な動作、および、上記第1ドア部材が全開に近づくときにおける第2および第3のドア部材302、303の非常に僅かな動作が与えられる。この相対的動作によれば、ドア108の開閉の間において、ドア108と地面102との間の適切な間隙が可能とされる。
【００２０】
ドア108は第1ドア部材301および２つの補助的なドア部材302、303へと不等的に分割されることから、上記主要パネルは、習用の単一パネルのドアと同様の様式で、構造的かつ作用的に航空機101に対して一体化され得る。第1ドア部材301は、航空機構造305と、作動システム307と、ドア108を閉じて保持する繋止システムを取付けるための構造とに対し、ヒンジを提供する。故に、斯かる機能から解放された第2および第3のドア部材302、303は、更に簡素に且つ軽量に構成される。
【００２１】
ドア108もしくは着陸装置106に対する作動システムにおける障害の場合には、着陸装置106により押し進められることで、上記各ドアは開かれる必要がある。このプロセスは一般的に、着陸装置の重力的延伸と称される。第1ドア部材301に取付けられたブリッジ318によれば、斯かる場合において着陸装置106は、ドア108全体を開き位置へと押し進め得る。重要なこととして、上記ブリッジは、上記着陸装置の斯かる重力的延伸の間において該着陸装置がブリッジ318またはドア108の他の一切の部分に係合しない様に配置される。更に、第2および第3のドア部材302、303は、着陸装置106の経路から外れ、自動的に外方移動される。換言すると、ブリッジ318に対する接触は別として、着陸装置106と、第2もしくは第3のドア部材302、303、または、それらの関連接続リンク315との間に、接触は無い。
【００２２】
当業者であれば理解される様に、上記実施形態における一つ以上の群の枢着ピンまたはヒンジおよび接続リンクは、単一のヒンジもしくはリンクに対して代用され得る。代替的に、一つ以上の群の枢着ピンまたはヒンジおよび接続リンクは、更なるヒンジまたはリンクにより補足され得る。同様に、翼部装置ドア203は、一方はストラット201に対してボルト締めされ、且つ、小寸の方は、ストラット201の頂端部で翼部から離間して枢着される、２つの部材片として配置され得る。ジャッキ307は、２つのストラット310ではなく、一つのブラケットにより第1ドア部材301に対して取付けられ得る。
【００２３】
他の実施形態において、上記ドアは、乗客室用ドア、貨物倉用ドア、検査もしくは保守ハッチ用ドア、または、他の航空機ドアである。
【００２４】
本発明はその実施形態の記述により例証され且つ実施形態は相当に詳細に記述されたが、添付の各請求項の有効範囲を斯かる詳細に限定しまたは多少なりとも制限することを出願人は意図していない。当業者であれば、付加的な利点および改変は容易に明らかであろう。故に、本発明はその最も広範囲な見地において、示され且つ記述された特定の詳細、代表的な装置および方法、ならびに、図示形態に限定されるものでない。故に、出願人の包括的な発明概念の精神もしくは有効範囲から逸脱せずに、斯かる詳細から改変が為され得る。
【図１】
2010505690.tif 000003
【図２】
2010505690.tif 000004
【図３】
2010505690.tif 000005
【図４】
2010505690.tif 000006
【図５】
2010505690.tif 000007
【図６】
2010505690.tif 000008
【国際調査報告】
2010505690.tif 000009
2010505690.tif 000010